(57)【要約】【課題】未使用時には邪魔とならず、またポップアップすることでプラグの着脱が容易に行える光ファイバー用コンセントを提供することにある。【解決手段】コンセント１はボディ２と、該ボディ２の前方へ突出自在にボディ２の前部に装着され、ボディ２に光ファイバー用レセプタクル４を収納した状態で前面が、壁等の造営材の取付面と平行する平坦面となるカバー３と、カバー３の前方突出時にプラグ接続口４３をボディ２外に臨ませる光ファイバー用レセプタクル４と、カバー２をボディ２の前方へ突出させる方向に常時付勢する付勢手段及びボディ２内に光ファイバー用レセプタクル４を収納した状態を保持する保持手段からなり、該保持手段の保持が解除されたときにカバー３をボディ２前方へ突出させるポップアップ機構とから成る。【選択図】図１
2005070340.tif 000002
【特許請求の範囲】
【請求項１】
ボディと、該ボディの前部から前方へ突出して前面部以外に設けているプラグ接続口を前記ボディ外に臨ませる突出状態と、少なくとも前記プラグ接続口がボディ内に収納される収納状態とを呈するように前記ボディに突出自在に設けられた光ファイバー用レセプタクル部と、前記光ファイバー用レセプタクル部を前記ボディ前方へ突出させる方向に常時付勢する付勢手段及び収納状態を保持する保持手段からなり、該保持手段の保持が解除されたときに前記光ファイバー用レセプタクル部を前記ボディ前方へ突出させるポップアップ機構とから成ることを特徴とする光ファイバー用コンセント。
【請求項２】
取付面に対して正規方向に取り付けられたときに、前記プラグ接続口の向きが下向きとなるように前記光ファイバー用レセプタクル部が前記カバーの背部に設けられていることを特徴とする請求項１記載の光ファイバー用コンセント。
【請求項３】
前記プラグ接続口の開口に、光ファイバー用プラグの非接続時に閉じ、接続時に開く保護扉を設けていることを特徴とする請求項１又は２記載の光ファイバー用コンセント。
【請求項４】
前記光ファイバー用レセプタクル部の一端を前記ボディに枢支するとともに、前記ポップアップ機構により前記一端を中心として回動して前記光ファイバー用レセプタクル部がボディの前方へ突出したときに、前記光ファイバー用レセプタクル部の前面が取付面に対して斜めとなるとともに前記光ファイバー用レセプタクル部の他端から前記プラグ接続口を前記ボディ外に臨ませることを特徴とする請求項１乃至３の何れか記載の光ファイバー用コンセント。
【請求項５】
前記カバーの突出方向が、前記ボディの前部に対して垂直方向であることを特徴とする請求項１乃至３の何れか記載の光ファイバー用コンセント。
【請求項６】
取付面に形成された取付穴に取り付ける取付枠に前記ボディを取り付け、前記取付穴の開口とともに前記取付枠を覆うように前記取付面側に配置されるプレートの開口窓より前記ボディの前部を外部へ臨ませることを特徴とする請求項１乃至５の何れか記載の光ファイバー用コンセント。
【請求項７】
取付面の表面に配設される露出取り付け用プレート内に前記ボディが取り付けられ、露出取り付け用プレートの開口窓より前記ボディの前部を外部へ臨ませることを特徴とする請求項１乃至５の何れか記載の光ファイバー用コンセント。
【請求項８】
前記ポップアップ機構の保持手段が前記光ファイバー用レセプタクル部の一部を係止して保持する手段であって、この保持手段を押し動かして係止状態を解除する押しボタンを前記ボディの前部に設けていることをことを特徴とする請求項１乃至７の何れか記載の光ファイバー用コンセント。
【請求項９】
前記ポップアップ機構の保持手段が前記光ファイバー用レセプタクル部一部を係止して保持する手段であって、この保持手段による保持を前記カバーが後方へ押し動かされたときに解除する手段を備えていることを特徴とする請求項１乃至７の何れか記載の光ファイバー用コンセント。
【発明の詳細な説明】
【技術分野】
【０００１】
本発明は、光ファイバー用コンセントに関するものである。
【背景技術】
【０００２】
従来、壁や床等の造営材の取付面に取り付けられる光ファイバー用コンセントとしては一般の埋め込み配線器具と同様に、取付面に設けられた取付穴やスイッチボックスに取付枠を用いて取り付け、取付枠及び造営材に設けた取付穴（スイッチボックスからなる取付穴）を被蔽するように取付面側に配置されるプレートの開口窓から外部へ光ファイバー用レセプタクルのプラグ接続口を露出させる光ファイバー用コンセントが提供されている（特許文献１）。
【特許文献１】特開２００３−９８３８３号公報（図１）
【発明の開示】
【発明が解決しようとする課題】
【０００３】
ところで、上記従来例では、コンセントが光ファイバー用プラグを接続していない未使用状態でもプレートの前面より出っ張った状態にあるため、邪魔となる上に、ものが当たったりしてコンセントに損傷を与える恐れが大きかった。
【０００４】
本発明は上記の点に鑑みて為されたもので、その目的とするところは未使用時には邪魔とならず、また使用時にカバーをボディより突出させることでプラグの着脱が容易に行える光ファイバー用コンセントを提供することにある。
【課題を解決するための手段】
【０００５】
上記の目的を達成するために、請求項１の発明では、ボディと、該ボディの前部から前方へ突出して前面部以外に設けているプラグ接続口を前記ボディ外に臨ませる突出状態と、少なくとも前記プラグ接続口がボディ内に収納される収納状態とを呈するように前記ボディに突出自在に設けられた光ファイバー用レセプタクル部と、前記光ファイバー用レセプタクル部を前記ボディ前方へ突出させる方向に常時付勢する付勢手段及び収納状態を保持する保持手段からなり、該保持手段の保持が解除されたときに前記光ファイバー用レセプタクル部を前記ボディ前方へ突出させるポップアップ機構とから成ることを特徴とする。
【０００６】
請求項１の発明によれば、未使用時にはボディに対して光ファイバー用レセプタクル部をボディに収納した状態とすることができるため、未使用時には光ファイバー用レセプタクル部が邪魔とならず、そのため未使用時において光ファイバー用レセプタクル部を損傷させる恐れが無くなり、また使用時にはカバー及び光ファイバー用レセプタクル部をボディより突出させることで、光ファイバー用レセプタクル部のプラグ接続口に対する光ファイバー用プラグの着脱が容易に行え、しかもポップアップ機構の保持手段で光ファイバー用レセプタクル部をボディ内に収納した状態に保持でき、また保持手段の保持解除時には付勢手段で光ファイバー用レセプタクル部をボディ外へ突出させることができるので、光ファイバー用レセプタクル部のボディ内への収納保持やボディ外への引き出しが容易に行える。
【０００７】
請求項２の発明では、請求項１の発明において、取付面に対して正規方向に取り付けられたときに、前記プラグ接続口の向きが下向きとなるように前記光ファイバー用レセプタクル部が前記カバーの背部に設けられていることを特徴とする。
【０００８】
請求項２の発明によれば、光ファイバー用レセプタクル部のプラグ接続口に光ファイバー用プラグを接続しても出っ張りが少なく、しかも光ファイバー用プラグを接続していない状態においてプラグ接続口からから出るレーザー光の向きを下向きとすることができ、そのため目に入りにくくなり、目の保護が図れる。
【０００９】
請求項３の発明では、請求項１又は２の発明において、前記プラグ接続口の開口に、光ファイバー用プラグの非接続時に閉じ、接続時に開く保護扉を設けていることを特徴とする。
【００１０】
請求項３の発明によれば、光ファイバー用プラグを接続していない状態ではプラグ接続口から漏出するレーザー光を保護扉で遮蔽することができ、そのため光ファイバー用プラグを接続する際にプラグ接続口を覗き込む場合や、プラグ接続口が下向きとならない取り付けを行った場合において目に対する保護が図れる。
【００１１】
請求項４の発明では、請求項１乃至３の何れかの発明において、前記光ファイバー用レセプタクル部の一端を前記ボディに枢支するとともに、前記ポップアップ機構により前記一端を中心として回動して前記光ファイバー用レセプタクル部がボディの前方へ突出したときに、前記光ファイバー用レセプタクル部の前面が取付面に対して斜めとなるとともに前記光ファイバー用レセプタクル部の他端から前記プラグ接続口を前記ボディ外に臨ませることを特徴とする。
【００１２】
請求項４の発明によれば、未使用時には光ファイバー用レセプタクル部が邪魔とならず、また使用時に光ファイバー用レセプタクル部をボディより突出させることで、光ファイバー用レセプタクル部のプラグ接続口に対する光ファイバー用プラグの着脱が容易に行える。
【００１３】
請求項５の発明では、請求項１乃至３の何れか発明において、前記カバーの突出方向が、前記ボディの前部に対して垂直方向であることを特徴とする。
【００１４】
請求項５の発明によれば、未使用時には光ファイバー用レセプタクル部が邪魔とならず、また使用時に当たってはカバーをボディより突出させることで、光ファイバー用レセプタクル部のプラグ接続口に対する光ファイバー用プラグの着脱が容易に行える。
【００１５】
請求項６の発明では、請求項１乃至５の何れかの発明において、取付面に形成された取付穴に取り付ける取付枠に前記ボディを取り付け、前記取付穴の開口とともに前記取付枠を覆うように前記取付面側に配置されるプレートの開口窓より前記ボディの前部を外部へ臨ませることを特徴とする。
【００１６】
請求項６の発明によれば、光ファイバー用レセプタクル部に接続する光ファイバーを隠蔽配線できず、配線保護用のモールなどを用いたり、露出配線する場合等に対応することができ、しかも未使用時には光ファイバー用レセプタクル部をボディ内に収納した状態とすることができるため、光ファイバー用レセプタクル部が邪魔とならない。
【００１７】
請求項７の発明では、請求項１乃至５の何れかの発明において、取付面の表面に配設される露出取り付け用プレート内に前記ボディが取り付けられ、露出取り付け用プレートの開口窓より前記ボディの前部を外部へ臨ませることを特徴とする。
【００１８】
請求項７の発明によれば、一般の埋め込み型配線器具と同様に埋め込み配設することができ、未使用時、使用時とも出っ張りが少なくなり、邪魔にならない。
【００１９】
請求項８の発明では、請求項１乃至７の何れかの発明において、前記ポップアップ機構の保持手段が前記光ファイバー用レセプタクル部の一部を係止して保持する手段であって、この保持手段を押し動かして係止状態を解除する押しボタンを前記ボディの前部に設けていることをことを特徴とする。
【００２０】
請求項８によれば、押しボタンを押し操作することで光ファイバー用レセプタクル部を簡単にボディより突出させることができる。
【００２１】
請求項９の発明では、請求項１乃至７の何れかの発明において、前記ポップアップ機構の保持手段が前記光ファイバー用レセプタクル部を係止して保持する手段であって、この保持手段による保持を前記光ファイバー用レセプタクル部が後方へ押し動かされたときに解除する手段を備えていることを特徴とする。
【００２２】
請求項９の発明によれば、カバーを押すだけで、カバーを簡単にボディより突出させることができる。
【発明の効果】
【００２３】
本発明によれば、未使用時にはボディに対して光ファイバー用レセプタクル部を収納状態とすることができるため、未使用時には光ファイバー用レセプタクル部が邪魔とならず、そのため未使用時において光ファイバー用レセプタクル部を損傷させる恐れが無くなり、また使用時にはカバー及び光ファイバー用レセプタクル部をボディより突出させることで、光ファイバー用レセプタクル部のプラグ接続口に対する光ファイバー用プラグの着脱が容易に行え、しかもポップアップ機構の保持手段で光ファイバー用レセプタクル部をボディ内に収納した状態に保持でき、また保持手段の保持解除時には付勢手段で光ファイバー用レセプタクル部をボディ外へ突出させることができるので、光ファイバー用レセプタクル部のボディ内への収納保持やボディ外への引き出しが容易に行えるという効果がある。
【発明を実施するための最良の形態】
【００２４】
以下本発明を実施形態により説明する。
【００２５】
（実施形態１）
本実施形態の光ファイバー用コンセント（以下コンセントと略す）１を図１乃至図１７に基づいて説明する。
【００２６】
本実施形態のコンセント１は、図２に示すようにＪＩＳで規格化された大角形の１個モジュールの配線器具を３個取り付けることができる樹脂製取付枠８に対して取り付けることができる３個モジュールの寸法で形成されたボディ２と、このボディ２の前面部に開閉自在に枢支されるカバー３及びカバー３の背部に取り付けられる図５に示す光ファイバー用レセプタクル４からなる光ファイバー用レセプタクル部とで構成され、光ファイバー用レセプタクル４に接続する光ファイバーケーブル３２を巻回する巻き取り体５を保持する保持体６を付設するようになっている。尚７０は取付枠８に対応する化粧プレートである。
【００２７】
コンセント１の主構成部材であるボディ２は図３，図４に示すように上下、左右の四方が周壁７ａ〜７ｃにより囲まれ、上側の略半分を前後方向に開口し、下側の略半分には背部２ａを一体形成した合成樹脂成形体からなり、左右の周壁７ａ、７ａの前側外面の上下位置には取付枠８の係止部１０に係止させるための対の被係止爪９，９をそれぞれ一体形成している。また上側の周壁７ｂの前面部にはカバー３の回動軸２０（図８（ｃ）参照）を回動自在に支持する軸受部１１を前方へ突出形成している。
【００２８】
また下側の周壁７ｃの前端部の両側には所定間隔を空けて前方へ一対の突出部１２，１２を膨出形成し、この突出部１２，１２の間には下側の背部２ａの下端より前方へ一体延長して形成した弾性片１３の先部に設けた押しボタン１４を介在させている。この押しボタン１４の操作面と突出部１２，１２の前面とはほぼ同一高さとしている。またこの押しボタン１４と弾性片１３の境界部にはカバー３の下端部中央に突出形成している係止突片１５を係脱自在に係止する係止孔１６を設けてある。また背部２ａの上端部付近の背面の両側には上記の保持体６を支持するための支持部１７、１７を一体に形成している。この支持部１７，１７には相対向する側面と下端とが開口した係止溝１８，１８をそれぞれ形成しており、この係止溝１８，１８を利用して後述するように保持体６を背部２ａの背面に着脱自在に取り付けるようになっている。
【００２９】
カバー３は合樹脂成形体からなり、図５、図６に示すように長方形状の前面部３ａと、この前面部３ａの背面両側から後方へ延長形成した脚部１９，１９と、上端部の両側に上方へ突出形成された軸保持部２２、２２とからなり、前面部３ａの背面側と脚部１９，１９間の空間部で光ファイバー用レセプタクル４を収納保持する収納部を構成している。また軸保持部２２，２２は対向面に回動軸２０の両端を支持する軸孔２１を貫通形成したもので、この軸保持部２２，２２間にボディ２側の軸受部１１を介在させ、一方の軸保持部２２の軸孔２１、軸受部１１の軸受凹部１１ａ、他方の軸保持部２２の軸孔２１に回動軸２０を挿通させることで、カバー３の上端部を回動自在にボディ２に枢支するようになっている。
【００３０】
脚部１９，１９の前面部３ａ側の基端と、先端との間の中間部位には内向きに、光ファイバー用レセプタクル４のハウジング４０の背面に当接する支持片２３を突出形成している。また前面部３ａの両脚部１９，１９間の背面には光ファイバー用レセプタクル４のハウジング４０の前面に当接するリブ２４を形成し、また背面の下端部には光ファイバー用レセプタクル４のハウジング４０の先端に当接する突片２６を突出形成し、更にリブ２４の下部にはハウジン４０の前面に当接する段部２５を形成している。そして、これら支持片２３，リブ２４，突片２６、段部２５によって、前面部３ａと脚部１９，１９とにより囲まれた空間からなる収納部に光ファイバー用レセプタクル４を収納保持するのである。
【００３１】
光ファイバー用レセプタクル４は、図７（ａ）〜（ｄ）に示すように合成樹脂成形体からなる直方体状の中空部材をハウジング４０として用い、ハウジング４０は前部（カバー３に取り付けたときに下部となる）側の外周面を後部（カバー３に取り付けたときには上部となる）側の外周面より突出させ、また内部においては隔壁４１により内部空間を左右に仕切り、それぞれの空間部の中間を光ガイド筒体２８を収納する収納部４２とし、空間部の前部側をプラグ接続部４３とし、後部側をケーブル接続部４４としている。光ガイド筒体２８は中央部を左右に突出させ、その突出部２８ａ，２８ａの先端面を収納部４２の左右の内壁面に当接させ、また突出部２８ａ，２８ａの上下面に形成した被係止用凹凸部２９を、収納部４２の上下内壁面に形成した係止用凹凸部３０に係止させることで収納部４２内に固定されるようなっている。また突出部２８ａ，２８ａの前面には光ファイバー用プラグ（図示せず）のハウジングに係止する係止爪３１ａ，３１ａを先端に設けた弾性突片３１，３１を一体に形成してあり、また後部側面には光ファイバーケーブル３２の先端部に設けた接続具３２ａに係止する係止爪３３ａ，３３ａを設けた弾性突片３３，３３を一体に形成している。
【００３２】
さてプラグ接続部４３は後述する光ファイバー用プラグ（図示せず）を差し込むためのものであって、このプラグ接続部４３に光ファイバー用プラグ（図示せず）が差し込み接続されることで光ガイド筒体２８のガイド孔２８ｂを介して光ファイバーケーブル３２と、光ファイバー用プラグ（図示せず）に接続されている光ファイバーケーブル（図示せず））との間が光結合されるようになっている。そして光ファイバー用プラグ（図示せず）を接続していない非使用状態では、光ファイバーケーブル３２を介して送られてくるレーザー光がプラグ接続部４３側に漏出するため、外部への漏出を防止する保護扉３５をそれぞれのプラグ接続部４３の開口４３ａ内に設けてある。この保護扉３５は左右２枚の扉体３５ａ，３５ａからなり、各扉体３５ａは一側端が軸体３６で回動自在に枢支されるとともに捻りばね３７の付勢で開口４３ａを閉じる方向に回動力が与えられるようになっており、非使用時は左右の２枚の扉体３５ａ、３５ａの先端が重なった状態で開口４３ａを閉塞している（図７（ａ）、（ｂ）の上側のプラグ接続部４３）。そして光ファイバー用プラグ（図示せず）が開口４３ａより差し込まれる際に差し込み力により両扉体３５ａ，３５ａは捻りばね３７の付勢力に抗してプラグ接続部４３の奥側へ押されてプラグ接続部４３の左右内壁面に当接する位置までそれぞれが回動し、開口４３ａを開くことになる。尚状態を分かりやすくするために、図７（ａ）、（ｂ）では下側のプラグ接続部４３において保護扉３５が開いた状態を示しているが、実際には光ファイバー用プラグ（図示せず）が差し込まれなければ保護扉３５は開かない。
【００３３】
次に本実施形態のコンセント１の組み立てについて説明する。
【００３４】
まずカバー３をボディ２に組み付けるに当たっては、図８（ａ）（ｂ）に示すように中央部３８ａをコ字状に折り曲げ形成し、両端部には捻り部３８ｂ、３８ｂを形成したばね体３８をボディ３に装着する。この場合ボディ２の軸受部１１の下面側に中央部３８ａの中央片を係止するとともに両端の捻り部３８ｂ、３８ｂを軸受部１１の両端部の裏側に形成した孔３９を介して軸受部１１の両端の裏部に形成せる凹所１１ｂ内に嵌め込み、軸受部１１の軸受凹部１１ａの両端と捻り部３８ｂ、３８ｂの透孔とを連通させる。
【００３５】
次にカバー３の軸保持部２２，２２間に軸受部１１を介在させるようにボディ２の前面側にカバー３を配置して一方の軸保持部２２の軸孔２１から一方の捻り部３８ｂの透孔、軸受部１１の軸受凹部１１ａ、他方の捻り部３８ｂの透孔、他方の軸保持部２２の軸孔２１に回動軸２０を挿入する。ここで回動軸２０は挿入側一端から他端近くまでの直径を軸孔２１，軸受凹部１１ａの内径よりもやや細い直径とすることで挿通を可能にしているが、図８（ｃ）に示すように他端部２０ａの直径を軸孔２１の内径よりも太い径とするとともに外面にローレット２０ｂの加工を施しており、この他端部２０ａが最終的に軸孔２１に圧入されることで回動軸２０はカバー３に固定される。
【００３６】
また捻り部３８ｂ，３８ｂから延長された各延長部３８ｃ、３８ｃはカバー３の前面部３ａの背面に弾接してカバー３をボディ２の前部から前方へ突出させる方向に回動させる付勢力を与えるようになっている。
【００３７】
このようにしてカバー３は、ばね体３８により回転軸２０を中心として下端側がボディ２の前面部より前方へ突出する方向に回動する付勢力が与えられる状態でボディ２に枢支される。このとき脚部１９，１９の先部をボディ２の背部２ａの両側に設けている長角孔２ｂによりボディ２の背方へ突出させる。
【００３８】
さてかようにボディ２に枢支されたカバー３に光ファイバー用レセプタクル４を取り付ける当たっては、光ファイバー用レセプタクル４をプラグ接続部４３が下側となるように脚部１９，１９間に挿置し、プラグ接続部４３部位のハウジング４０の先端を前面部３ａの下部裏面に突設してある突片２６に当接させるとともにプラグ接続部４３部位のハウジング４０の前面部を段部２５に当て、且つプラグ接続部４３より後方のハウジング４０の前後面を脚部１９のリブ２４と支持片２３との間で挟持させる（図１（ａ）（ｂ）参照）。
【００３９】
このようにボディ２にカバー３を装着し、カバー３に光ファイバー用レセプタクル４を取り付けることで本実施形態のコンセント１が完成される。図１（ａ）はね体３８の付勢力に抗してカバー３をボディ２の前部側に回動させカバー３の下端中央に形成した係止突片１５先端を弾性片１３の弾性力を利用して押しボタン１４の係止孔１６に係止させた状態を示しており、このときカバー３は前面部３ａの前面がボディ２の突出部１２の前面と同一高さの状態で保持され、前面部３ａの背方に取り付けた光ファイバー用レセプタクル４がボディ２内に収納された状態となる。この状態が非使用状態となる。そして押しボタン１４を弾性片１３の弾性力を利用して下向きかげんに押し操作すると、係止突片１５の先端が係止孔１６から離脱し、これによりカバー８はばね体３８の付勢力により回動軸２０を中心として図において反時計方向に回動して、上端部から下端部にかけて前面部３ａが下り傾斜するようにボディ２の前部より前方へ突出することになり、下端部とボディ２の前部との間から光ファイバー用レセプタクル４のプラグ接続部４３が図１（ｂ）に示すように下向きに外部に臨むことになる。尚カバー３の回動角は脚部１９、１９の先端外面にそれぞれ設けた突起１９ａ，１９ａがボディ２の背部２ａの両側の長角孔２ｂの背面側開口縁に当たることで規制される。この状態がプラグ接続を行う使用状態となる。
【００４０】
而してばね体３８と弾性片１３と押しボタン１４とがカバー３及び光ファイバー用レセプタクル４をポップアップさせるためのポップアップ機構として機能することになり、このポップアップ機構を設けることで、レセプタクプル部を手で引き出すための指入れスペース等が不要となり、コンセント１の小型化を可能としている。
【００４１】
図９（ａ）（ｂ）は使用状態と、非使用状態の外観斜視図を示す。
【００４２】
次に上述のように構成するコンセント１を造営物の壁や床等の造営材に直接開口した取付穴若しくは埋設されたスイッチボックスからなる取付穴に対する取り付け場合について説明する。
【００４３】
まず光ファイバー用レセプタクル４を取り外している状態で、ＪＩＳで定められた大角形の１個モジュールの配線器具を３個取り付けることができる取付枠８の窓孔８ａに背方からコンセント１の前部を嵌め込み、ボディ２の一側面から突出されている被係止爪９を取付枠８の一方の側枠に設けている係止孔（図示せず）からなる係止部１０に係止させ、他方の側面から突出させている被係止爪９を取付枠８の他方の側枠に設けている対応する凸状の突片８ｂの肩部により形成せる係止部１０に係止させることで取付枠８に取り付ける。
【００４４】
一方壁面の取付穴やスイッチボックスに造営物を貫通して導入された光ファイバーケーブル３２の外被を剥離してむき出した光ファイバー心線３２ａの先端に設けた接続具３２ｂを、カバー３から外している光ファイバー用レセプタクル４の後端のケーブル接続部４４に差し込んで光ファイバー用レセプタクル４に接続する。そしてこの接続後図１０に示す合成樹脂製の巻き取り体５に巻回した後、この巻き取り体５を保持体６に保持させ、光ファイバー用レセプタクル４をカバー３の前面部３ａの背部に取け付けた後、この保持体６を更にコンセント１のボディ２の背部に取り付けるのである。このとき外被付きの光ファイバーケーブル３４の余長部分を保持体５の外周に巻き付けて余長を短くする。
【００４５】
この状態でコンセント１の背部、保持体５，光ファイバーケーブル３４を取付穴（スイッチボックス）内に収納して取付枠８の上下枠片に設けたねじ挿通孔８ｃを利用して取付穴周辺の壁面に直接ねじ固定するか、或いはねじ挿通孔８ｄに挿通させた取付けねじ（図示せず）によりスイッチボックス（図示せず）にねじ固定し、更には取付用はさみ金具（図示せず）により取付穴の開口縁に固定する。そしてこの後化粧プレート７０を取付枠８の前面側に係止爪（図示せず）やねじなどにより取り付け、この化粧プレート７０により取付穴及び取付枠８を被蔽するとともに、化粧プレート７０の開口窓７０ａよりコンセント１の前部を外部に露出させれば施工が完了する。ここで上述した非使用状態では図１１に示すようにカバー３の前面部３ａの前面部は壁面に平行する平坦面となって、ほぼ化粧プレート７０の前面とほぼ同一の高さの面となり、ほとんど出っ張りが無くなるのである。
【００４６】
そしてコンセント１を使用する際には、下端部に露出している押しボタン１４を上述したように押し操作すれば良く、この押し操作により保持状態が解除され、ばね体３８の付勢力によりカバー３が光ファイバ−用レセプタクル４とともに回動してボディ２の前部の前方へ突出し、つまりポップアップして図１（ｂ）に示すように下向きに光ファイバー用レセプタクル４のプラグ接続口４３を外部に臨ませることになる。このときが使用状態でカバー３の前面部３ａの前面は上端から下端にかけて傾斜した傾斜面となる。
【００４７】
ポップアップ後、光ファイバー用プラグ（図示せず）を上向きにプラグ接続口４３の開口４３ａに差し込めばコンセント１に光ファイバー用プラグ（図示せず）を接続できることになる。この差し込みの際に開口４３ａに設けている保護扉３５の扉体３５ａ、３５ａが押し広げられる。尚光ファイバー用プラグ（図示せず）を差し込む前は保護扉３５の扉体３５ａ，３５ａは捻りばね３７により付勢されて閉じられているため、プラグ接続口４３の位置確認などを行う場合あっても、保護扉２５によってレーザー光が遮られ、レーザー光が目に入ることはない。
【００４８】
ここで本実施形態で用いられる上述の巻き取り体５及び保持体６について説明する。
【００４９】
巻き取り体５は図１２、図１３に示すように円柱状の巻き取り胴部５０の中間部と上端部の外周面に鍔片５１，５２を周方向に一体形成し、更に鍔片５１の下面に周方向に一定間隔で、巻き取り胴部５０の外周面に平行する突片５３を一体に形成したもので、突片５３に対向する巻き取り胴部５０には外被が剥離されていない光ファーバーケーブル３２を巻回し、突片５３で巻回した部分を固定するようになっている。そして鍔片５１の対向する両端間の間隙５６を介して外被を剥離した光ファイバー心線３２ａを鍔片５１，５２間の巻き取り胴部５０側に導入し、この鍔片５１，５２間の巻き取り胴部５０に光ファイバー心線３２ａを巻回するようになっている。一方鍔片５２の対向両端は間隔を空けながら上方へ並行延長され、この延長部位間で巻き取り体５上方外へ光ファイバー心線３２ａを導出する導出溝５４を構成している。
【００５０】
このように光ファイバーケーブル３２及び光ファイバー心線３２ａを巻回させた巻き取り体５を保持する保持体６は図１４、図１５に示すように約半分が幅広部位で、その幅広部位に連なり、両側縁が円弧状となって先部が幅狭となった部位とからなる底壁６０と、この底壁６０の幅狭部位の周辺に沿って底壁６０に立設され、その両端が幅広部位で平行するように形成された周壁６１とで囲まれた空間部を巻き取り体５の収納保持部としたもので、底壁６０の幅狭部位には天井壁６２を設け、この天井壁６２、底壁６０、周壁６１で囲まれた袋状空間部６９に巻き取り体５の略半分を収納するようになっている。
【００５１】
また天井壁６２の先端中央部には半円状の突壁６３を突設するとともに、突壁６３の中央上面から袋状空間部６９の奥端側の天井壁６２の上面中央に亘るように突出体６５を一体形成している。この突出体６５は底壁６０の幅広部位側に対向した一端面に光ファイバー心線３２ａを収納ガイドする案内溝６４を下端から上端に亘るように形成している。また他端側は天井壁６２の上面に沿って両側方向に延長し、各延長壁６６の上端と突出体６５の他端側の各側部上端に連設するように、コンセント１に装着するための係止突片６７を形成している。また底壁６０には巻き取り体５の位置決めのためのガイド溝６８を幅広部位の先端辺の中央から上記幅狭部位に至るように形成している。
【００５２】
而して、上述のように光ファイバーケーブル３２及び光ファイバー心線を巻回した巻き取り体５を保持体６に保持させる際にガイド溝６８に巻き胴部５０の下部に形成している突起５５を嵌め込み、巻き取り胴部５０の下部を底壁６０上に載せて幅狭部位方向にスライドさせることで、巻き取り体５を正しい方向に向けて上記袋状空間部にその半分を収納保持することができる。つまり、巻き取り体５を正しく保持させることで、上記導出溝５４を形成する鍔片５１の両端部が上記突出体６５の側面の基部に形成した凹み部６５ａに嵌り込み、導出溝５４の上端開口と前記案内溝６４の下端開口とを連通させることができるのである。また上記袋状空間部内に収納された巻き取り体５の巻き取り胴部５０の下面が底壁６０に上面に形成された突部６０ａ上に乗り上げて、鍔片５１の上面が天井壁６２に圧接する形となる。つまり底壁６０と天井壁６２との間で巻き取り体５が挟持されることになる。そして鍔片５１，５２の周縁と周壁６１の壁面との間が近接するため鍔片５１，５２間の巻き取り胴部５０に巻回している光ファイバー心線３２ａが広がって脱落するのを防ぐことができるのである。
【００５３】
以上のように巻き取り体５を保持した保持体５をコンセント１のボディ２に取り付けるのであるが、この場合、ボディ２の背部２ａの背面両側に一体形成した支持部１７、１７に形成している係止溝１８、１８に図１６に示すように下端側から上記係止突片６７を係入する。このとき係止突片６７の板面に形成した突起６７ａが係止溝１８内の対向面に形成している凹部８２に嵌って係止突片６７の係入状態を保持するのである。またボディ２の開口部より突出体６５の先部がボディ２内に入る。
【００５４】
尚上記のポップアップ機構では押しボタン１４を用いて保持状態を解除する構成であったが、図１７に示すようにカバー３を押し操作することで保持状態を解除し、突出状態のカバー３を押し戻す操作で保持手段がカバー３を係止保持する構成としても良い。
【００５５】
（実施形態２）
ところで上記実施形態１ではボディ２に対してカバー３の上端を枢支して、ポップアップ時にポップアップ機構の付勢力により回動させる構成であるが、本実施形態ではカバー３及び光ファイバー用レセプタクル４からなる可動部をボディ２の前部から垂直方向に突出自在に設け、図１８（ａ）に示す収納状態（非突出状態）でカバー３の前面部３ａを後方に押し操作するとポップアップ機構（図示せず）の保持手段の保持状態が解除され、図１８（ｂ）に示すように可動部全体を前方へポップアップ機構の付勢手段の付勢力で前方へ突出させ、光ファイバー用レセプタクル４のプラグ接続部４３を外部に臨ませる構成としたものである。尚この構成に採用するポップアップ機構は突出状態からカバー２の前面部２ａが押されてカバー３の前面部３ａがボディ２の前面とほぼ面一となる位置までカバー３及び光ファイバー用レセプタクル４が後退したときに、保持手段がカバー２の一部を係止して非突出状態を保持するものとする。尚２７は光ファイバー用プラグ、３４は光ファイバーケーブルである。
【００５６】
（実施形態３）
上記実施形態１，２のコンセント１は壁面に設けた取付穴或いはスイッチボックスに取り付ける埋め込み型のものであったが、図１９（ｄ）に示すように光ファイバーケーブルをモール７３を用いて壁面に露出配線する場合に対応させたものが本実施形態であり、図１９（ａ）乃至（ｃ）に示すように壁面よりやや前方に突出する露出用化粧プレート７０’内に設けられた取付枠（図示せず）に実施形態１或いは実施形態２のコンセント１のボディ２を取り付け、このボディ１の前面部を化粧プレート７０’の開口窓７０ａ’より露出させるようになっている。
【００５７】
（実施形態４）
本実施形態は図２０（ａ）又は（ｂ）に示すようにカバー３にスライド自在に透明のカバー７１を装着し、光ファイバー用プラグ２７を接続したときに光ファイバー用プラグ２７を覆う位置までカバー７１をスライドさせ、カバー８１により光ファイバー用プラグ２７を保護するようにしたものである。
【図面の簡単な説明】
【００５８】
【図１】実施形態１の光ファイバー用コンセントの断面図であり、（ａ）は非使用時、（ｂ）は使用時を示す。
【図２】同上の光ファイバー用コンセントの埋め込み取付構造の分解斜視図である。
【図３】同上のボディを示し、（ａ）は側面図、（ｂ）は背面図、（ｃ）は側断面図である。
【図４】同上のボディを示し，（ａ）は正面図、（ｂ）は上面図である。
【図５】同上のカバーを示し、（ａ）は側面図、（ｂ）は上面図、（ｃ）は正面図、（ｄ）は下面図である。
【図６】同上のカバーを示し，（ａ）は側断面図、（ｂ）は背面図である。
【図７】同上のレセプタクルを示し、（ａ）は同上の正面図、（ｂ）は同上の平断面図、（ｃ）は同上の背面図、（ｄ）は同上の側断面図である。
【図８】（ａ）は同上に用いるばね体の拡大側面図、（ｂ）は同上に用いるばね体の拡大正面図、（ｃ）は同上に用いる回動軸の拡大正面図である。
【図９】（ａ）は同上の非使用状態を示す一部省略せる斜視図、（ｂ）は同上の使用状態を示す一部省略せる斜視図である。
【図１０】同上に用いる巻き取り体と、保持体の非結合状態の斜視図である。
【図１１】同上の取り付け施工後の非使用状態の斜視図である。
【図１２】同上に用いる巻き取り体を示し、（ａ）は正面図、（ｂ）は下面図、（ｃ）は正面断面図である。
【図１３】同上に用いる巻き取り体を示し、（ａ）は側断面図、（ｂ）は上面図である。
【図１４】同上に用いる保持体を示し、（ａ）は側面図、（ｂ）は下面図、（ｃ）背面図である。
【図１５】同上に用いる保持体を示し、（ａ）は側断面図、（ｂ）は上面図である。
【図１６】同上の巻き取り体を保持せる保持体をボディに取り付け状態を示す断面図である。
【図１７】同上の別の例の取り付け施工後の非使用状態の斜視図である。
【図１８】実施形態２を示すもので、（ａ）は取り付け施工した後の非使用状態の斜視図、（ｂ）は使用状態の斜視図である。
【図１９】実施形態３を示すもので、（ａ）は同上の取り付け施工後の非使用状態の正面図、（ｂ）は非使用状態の側面図、（ｃ）は使用状態の側面図、（ｄ）は斜視図である。
【図２０】（ａ）は実施形態４の取り付け施工後の非使用状態の斜視図、（ｂ）は使用状態の斜視図である。
【符号の説明】
【００５９】
１  光ファイバー用コンセント
２  ボディ
３  カバー
４  光ファイバー用レセプタクル
【図１】
2005070340.tif 000003
【図２】
2005070340.tif 000004
【図３】
2005070340.tif 000005
【図４】
2005070340.tif 000006
【図５】
2005070340.tif 000007
【図６】
2005070340.tif 000008
【図７】
2005070340.tif 000009
【図８】
2005070340.tif 000010
【図９】
2005070340.tif 000011
【図１０】
2005070340.tif 000012
【図１１】
2005070340.tif 000013
【図１２】
2005070340.tif 000014
【図１３】
2005070340.tif 000015
【図１４】
2005070340.tif 000016
【図１５】
2005070340.tif 000017
【図１６】
2005070340.tif 000018
【図１７】
2005070340.tif 000019
【図１８】
2005070340.tif 000020
【図１９】
2005070340.tif 000021
【図２０】
2005070340.tif 000022